(57)【要約】【課題】施錠状態にある玄関ドアの郵便受けを外側から壊して手を内側に入れ、手によって施開錠装置のサムターンを不正に操作しようとすることを防止する既設施開錠装置の玄関ドア内側にかぶせるカバーの提供。【解決手段】玄関ドアの内側に設けられた施開錠装置１０に、ハウジング２０が固定され、このハウジング２０は、上下にスライド移動する扉体４０を備える。扉体４０は釦爪部品４５Ｌを釦穴４１ａ、４１ｃに、釦爪部品４５Ｒを釦穴４１ｂ、４１ｄに備え、それぞればね４４により、それぞれの位置から見て扉体４０の正面垂直中心線と逆の水平方向に付勢される。ハウジング２０に扉体４０がセットされているとき、釦爪部品４５Ｒと４５Ｌはばね４４の付勢力を受け、突起２６ａ、２６ｂ、２６ｃ、２６ｄ、が障害となり、扉体４０のハウジング２０に対するスライド移動に制限を与える。【選択図】        図１
2004211423.tif 000002
【特許請求の範囲】
【請求項１】
両手を使わないと開かない扉体付きということが特徴のサムターンカバー。
【請求項２】
両手を使わないと開かない扉体付きということと既設施開錠装置に容易に設置可能ということが特徴のサムターンカバー。
【発明の詳細な説明】
【０００１】
【発明が属する技術分野】
本発明は、玄関ドアなどの既設施開錠装置のサムターンにかぶせる不正操作防止用サムターンカバーに関するものである。
【０００２】
【従来の技術】
従来のサムターンカバーは施錠状態にある玄関ドア外側から棒のような物を内側に侵入させ、施開錠装置のサムターンを不正に操作しようとすることを防ぐため、サムターンのまわりに囲いをするものであったり、手で押しながら回せば回るが棒のような物でサムターンを回そうとしても空回りする装置をサムターンに直に取り付けるものである。棒のような物で不正にサムターンを操作しようとする物に対しては十分であった。
【０００３】
【発明が解決しようとする課題】
解決しようとする問題点は、施錠状態にある玄関ドアの郵便受けを外側から壊して手を内側に入れ、手によってサムターンを不正に操作しようとする方法に対してはサムターンのまわりに囲いをするものであったり、サムターンを回そうとしても空回りする装置では対応できない点である。すなわち、施錠状態が解除され、侵入されてしまうという防犯上の問題がある。
【０００４】
【課題を解決するための手段】
請求項１によれば、以上の課題を解決するために、本発明は、両手を使わないと開かない扉体を付けたサムターンカバーであるところが最も主要な特徴とする。
【０００５】
請求項２によれば、請求項１記載のサムターンカバーにおいて、現在流通している既設施開錠装置に合ったハウジングをそれぞれ用意することにより、ハウジングが用意された既設施開錠装置には容易に設置可能ということを特徴とする。
【０００６】
【発明の実施の形態】
図１は、本発明によるサムターンカバーの実施の形態を示す概略分解斜視図、図２は同サムターンカバーの側断面図である。
【０００７】
本実施の形態のサムターンカバーはハウジング２０及びハウジングカバー３０及び扉体４０で大略構成され、玄関ドアなどに設置されている施開錠装置１０に被さるよう設置出来るようになっている。
【０００８】
施錠状態の施開錠装置１０はサムターン１３をつまみ、回すことにより施錠状態が解除される構造になっている。なお、ここでは施開錠装置１０のその他の具体的な機構の説明は省略する。
【０００９】
ハウジング２０は図１、図３に示すとおり縦長方形板にサムターン穴２２とねじ穴２１ａ、２１ｂ、２１ｃ、２１ｄ、さらに半月状にハンドルよけ２７の切り欠きが形成されている。また、サムターン穴２２の四方を囲うように板が配され、その板による囲いにはレール２３ａ、２３ｂ、突起２６ａ、２６ｂ、２６ｃ、２６ｄ、ねじ受け２４が形成されている。なお、板による囲いのうち、正面からみて上にあたる板についてはサムターン穴２２寄りに少しずれて形成される。さらにハンドルよけ２７の両端付近にはハウジングカバー用突起２５ａ、２５ｂが形成されている。なお、この実施の形態のハウジング２０は図１の施開錠装置１０のねじ１１ａ、１１ｂ、１１ｃ、１１ｄを利用して施開錠装置１０に直接固定する。具体的にはまず１１ａ、１１ｄのねじを施開錠装置１０から外す。次にねじ穴２１ａが１１ａのねじがあった部分に、ねじ穴２１ｄが１１ｄのねじがあった部分に重なるように、ハウジング２０を施開錠装置１０にあてがい、その状態のまま、外したねじ１１ａ、１１ｄを元の位置に締め戻す。次にねじ穴２１ｂから１１ｂのねじを外す、同様にねじ穴２１ｃから１１ｃのねじを外す、次にねじ穴部品２１ｘを２１ｂにはめ込み、その状態でねじ１１ｂを元の位置に締め戻す。同様ににねじ穴部品２１ｘを２１ｃにはめ込み、その状態でねじ１１ｃを元の位置に締め戻す。このようにすることでハウジング２０が施開錠装置１０に固定される。
【００１０】
ハウジングカバー３０は図１、図４に示すとおり逆さＵ字型板の上方向縁以外の縁が折曲げ形成される。一方上方向の縁は他の縁の折曲げと反対側に折曲げ形成され、ねじ付きねじ座３３が形成される。また、ハウジング２０と合体するための接合座３１ａ、３１ｂが形成され、そこにはハウジングカバー取り付け突起２５ａ、２５ｂに対応した凹部３２ａ、３２ｂが形成される。なお、この実施の形態のハウジングカバー３０はハウジング２０が施開錠装置１０に固定されたあとハウジング２０に固定される。具体的には接合座３１ａ、３１ｂの凹部３２ａ、３２ｂをハウジングカバー取り付け突起２５ａ、２５ｂに挿入させた状態でねじ付きねじ座３３をねじ受け２４に合わせねじ付きねじ座３３のねじをねじ受け２４に締め付ける。このようにすることでハウジングカバー３０がハウジング２０に固定される。
【００１１】
扉体４０は図１、図５に示すとおり縦長方形板の上方向縁が背面側に折曲げ形成される。また、正面側に縦長方形にくぼみを形成する。そのくぼみの左右両側面に釦穴４１ａ、４１ｂ、４１ｃ、４１ｄ、を形成し、釦爪部品４５Ｌが釦穴４１ａと４１ｃに、４５Ｒが釦穴４１ｂと４１ｄに釦爪部品押さえ４６によって押さえられ、装着される。この釦爪部品４５Ｌ、４５Ｒはそれぞればね４４によって、それぞれの位置から見て扉体４０の正面垂直中心線と逆の水平方向に常に付勢される。また、正面側の釦穴４１ａと４１ｃの間付近と釦穴４１ｂ、４１ｄの間付近には釦間突起４２が形成される。なお、この実施の形態の扉体４０はハウジング２０の上方からレール２３ａと２３ｂに従わされ挿入、装着される。
【００１２】
次に、上記のように構成されたサムターンカバーの作用を説明する。通常の使用状態は、図６に示すように扉体４０はハウジング２０の開口部の上部に位置し、施開錠装置１０のサムターン１３を自由に回転操作することにより、玄関ドアの施開錠を可能にする。
【００１３】
この時扉体４０は釦穴４１ｃ、４１ｄに装着されている釦爪部品４５Ｌ、４５Ｒの先端部分が図３ハウジング２０の突起２６ａ、２６ｂに遮られ止まっている。
【００１４】
そのような状態で扉体４０の上部から下方向へ押すと釦穴４１ｃ、４１ｄに装着されている釦爪部品４５Ｌ、４５Ｒの先端部分は図３ハウジング２０の突起２６ａ、２６ｂとの接触面が斜めになっているため、そこを滑りながらそれぞれのばね４４の付勢力とは逆の方向に釦爪部品４５Ｌ、４５Ｒが移動、ついには障害が無くなり扉体４０は今度は釦穴４１ｃ、４１ｄに装着されている釦爪部品４５Ｌ、４５Ｒの先端部分がハウジング２０の突起２６ｃ、２６ｄに当たるまで下方向へスライド移動する。釦穴４１ｃ、４１ｄに装着されている釦爪部品４５Ｌ、４５Ｒの先端部分がハウジング２０の突起２６ｃ、２６ｄに当たるところまでスライド移動すると釦穴４１ａ、４１ｂ、４１ｃ、４１ｄに装着されている４ヶ所全ての釦爪部品４５Ｌ、４５Ｒの先端部分がそれぞれハウジング２０の突起２６ａ、２６ｂ、２６ｃ、２６ｄに同時に遮られる。同じように扉体４０の上部から下方向へ押すと４ヶ所全ての釦爪部品４５Ｌ、４５Ｒの先端部分は突起２６ａ、２６ｂ、２６ｃ、２６ｄとの接触面が斜めになっているため、同時にそこを滑りながらそれぞれのばね４４の付勢力とは逆の方向に釦爪部品４５Ｌ、４５Ｒが移動、ついには引っかかりが無くなり、図７に示すとおり扉体４０は完全に下までスライド移動する。
【００１５】
この状態が通常の使用状態に対するサムターンの操作が制限される防犯状態である。この状態では釦穴４１ａ、４１ｂ、４１ｃ、４１ｄに装着されている４ヶ所全ての釦爪部品４５Ｌ、４５Ｒの先端部分がそれぞれハウジング２０の突起２６ａ、２６ｂ、２６ｃ、２６ｄに上方向を遮られているため、そのままでは扉体４０に上方の力を加えても扉体４０は上方にスライド移動しない。すなわち、扉が開かないのでサムターンを操作できない。
【００１６】
この防犯状態から通常の使用状態に戻すには釦穴４１ａ、４１ｂ、４１ｃ、４１ｄに装着されている４ヶ所全ての釦爪部品４５Ｌ、４５Ｒを同時にそれぞれの位置から見て扉体４０の正面垂直中心線方向に押す。すると釦穴４１ａ、４１ｂ、４１ｃ、４１ｄに装着されている４ヶ所全ての釦爪部品４５Ｌ、４５Ｒの先端がハウジング２０の突起２６ａ、２６ｂ、２６ｃ、２６ｄを扉体４０が上方にスライドするのに障害としない位置までになり、その時扉体４０に対し、上方向の力を加えることにより、扉体４０が上方にスライドする。すなわち、図６に示すように扉体４０はハウジング２０の開口部の上部までスライド移動すれば、施開錠装置１０のサムターン１３を自由に回転操作することにより、玄関ドアの施開錠を可能にする。
【００１７】
他に考えられる防犯状態から通常の使用状態に戻す方法は扉体４０に上方向に力を加えておきながら釦穴４１ａ、４１ｂ、４１ｃ、４１ｄに装着されている釦爪部品４５Ｌ、４５Ｒを１つずつ押していくといずれかの釦爪部品先端がそれに対応するハウジング２０の突起２６ａ、２６ｂ、２６ｃ、２６ｄの扉体４０が上方にスライド移動するための障害にならない位置で引っかかる。その状態のまま、扉体４０が上方にスライド移動するための障害にならない位置で引っかかった釦爪部品４５Ｌ、４５Ｒ以外の釦爪部品４５Ｌ、４５Ｒを１つずつ押していくとまたいずれかの釦爪部品先端がそれに対応するハウジング２０の突起の扉体４０が上方にスライド移動するための障害にならない位置で引っかかる。それを繰り返すとやがて４つ全ての釦爪部品４５Ｌ、４５Ｒがハウジング２０の突起２６ａ、２６ｂ、２６ｃ、２６ｄの扉体４０が上方にスライド移動するための障害にならない位置になり、扉体４０がスライド移動してしまう。
【００１８】
これを避けるため釦爪部品４５Ｌ、４５Ｒの先端上部に凸部を、ハウジング２０の突起２６ａ、２６ｂ、２６ｃ、２６ｄの下部に凹部を釦爪部品４５Ｌ、４５Ｒを押さずに扉体４０を引き上げようとする時、凹凸が合わさるように形成する。こうすることにより、釦爪部品４５Ｌ、４５Ｒを押さずに扉体４０に対し上方向の力を加えると、突起に形成した凹部に釦爪部品に形成した凸部がはまり、それ以上釦爪部品の操作が出来なくなり、釦爪部品４５Ｌ、４５Ｒを１つずつ押していく方法では防犯状態が解除できない。（図１の当該箇所参照）
【００１９】
また、上下に位置する例えば釦穴４１ａ、４１ｃに装着されている釦爪部品４５Ｌをかすがいのような器具で同時に押すなどして、防犯状態を解除するのを容易にする事を避けるため、障害物として扉体４０正面側の釦穴４１ａと４１ｃの間には釦間突起４２が形成され、正面反対側にも対称的に釦間突起が形成される。（図１の当該箇所参照）
【００２０】
なお、上述した実施の形態では、施開錠装置１０がハンドル１２を備えたものとした例について説明したが、ハンドル１２はまるいノブの形状になっていても良い。
【００２１】
また、図８に示すとおり、施開錠装置１０は例えばハンドル１２が無いものでもよい。その場合ねじ穴２１ｃ、２１ｄを防犯状態の時、扉体４０で隠れるように配置する。さらにハウジングカバー３０及びそれに関わるハウジングカバー取り付け突起２５ａ、２５ｂ、ハウジングカバーねじ受け２４、ハンドルよけ２７などを削除することができる。
【００２２】
【発明の効果】
以上説明したように本発明のサムターンカバーを設置すれば、施錠状態にある玄関ドアの郵便受けを外側から壊して手を内側に入れても、片手ではサムターンカバーの扉体が開かないため、サムターンを不正に操作され、施錠状態が解除されるのを防ぐことが出来る。
【図面の簡単な説明】
【図１】本発明によるサムターンカバーの実施の形態を示す分解斜視図である。
【図２】同サムターンカバーの側断面図である。
【図３】同サムターンカバーを構成するハウジングを示す正面図である。
【図４】同サムターンカバーを構成するハウジングカバーを示す背面図である。
【図５】同サムターンカバーを構成する扉体を示す背面図である。
【図６】同サムターンカバーの動作を示す斜視図である。
【図７】同サムターンカバーの動作を示す斜視図である。
【図８】他の実施の形態のサムターンカバーを示す斜視図である。
【符号の説明】
１０    施開錠装置
１３    サムターン
２０    ハウジング
２６ａ、２６ｂ、２６ｃ、２６ｄ    突起
３０    ハウジングカバー
４０    扉体
４１ａ、４１ｃ、４１ｂ、４１ｄ  釦穴
４４    バネ
４５Ｌ、４５Ｒ  釦爪部品
【図１】
2004211423.tif 000003
【図２】
2004211423.tif 000004
【図３】
2004211423.tif 000005
【図４】
2004211423.tif 000006
【図５】
2004211423.tif 000007
【図６】
2004211423.tif 000008
【図７】
2004211423.tif 000009
【図８】
2004211423.tif 000010